(57)【要約】【課題】  簡単な構造で以って、副室の凹部に未燃分が溜まるのを回避するとともに副室の側壁部に未燃分が付着するのを回避して、該未燃分の残留による過早着火の発生を防止して、燃焼状態を改善した副室パイロット着火式ガスエンジンを提供する。【解決手段】  液体燃料噴射弁から副室内のガス中に液体燃料を噴射して着火燃焼せしめ、生成された燃焼火炎を副室噴口を通して主燃焼室内に流出せしめて該主燃焼室内の混合気を燃焼するように構成された副室パイロット着火式ガスエンジンにおいて、一端が副室における前記副室噴口の開口部位よりも鉛直方向下方位置に開口し他端が前記主燃焼室に開口される補助噴口を前記副室口金に穿孔し、前記副室の底部に溜まった液体燃料を該補助噴口を通して前記主燃焼室内に排出せしめるように構成したことを特徴とする。【選択図】    図１
2006132415.tif 000002
【特許請求の範囲】
【請求項１】
シリンダヘッドに装着された副室口金の内部に副室及び該副室と主燃焼室とを連通する副室噴口を形成し、液体燃料噴射弁から該副室内のガス中に液体燃料を噴射して着火燃焼せしめ、これにより生成された燃焼火炎を前記副室噴口を通して前記主燃焼室内に噴出せしめて該主燃焼室内に充填された混合気を燃焼するように構成された副室パイロット着火式ガスエンジンにおいて、一端が前記副室における前記副室噴口の開口部位よりも鉛直方向下方位置に開口し他端が前記主燃焼室に開口される補助噴口を前記副室口金に穿孔し、前記副室の底部に溜まった液体燃料を該補助噴口を通して前記主燃焼室内に排出せしめるように構成したことを特徴とする副室パイロット着火式ガスエンジン。
【請求項２】
前記ガスエンジンはシリンダ配置がＶ字状のＶ型ガスエンジンであって、前記補助噴口は前記副室から主燃焼室に向かう開口方向が鉛直方向になるように、前記副室の中心に対して一定角度傾斜してなることを特徴とする請求項１記載の副室パイロット着火式ガスエンジン。
【請求項３】
シリンダヘッドに装着された副室口金の内部に副室及び該副室と主燃焼室とを連通する副室噴口を形成し、液体燃料噴射弁から該副室内のガス中に液体燃料を噴射して着火燃焼せしめ、これにより生成された燃焼火炎を前記副室噴口を通して前記主燃焼室内に噴出せしめて該主燃焼室内に充填された混合気を燃焼するように構成された副室パイロット着火式ガスエンジンにおいて、前記副室口金は、前記副室の底部近傍に溜まった液体燃料を前記副室噴口に導く突起部を副室底部に形成してなることを特徴とする副室パイロット着火式ガスエンジン。
【請求項４】
前記副室口金の前記突起部の裏側の前記主燃焼室内に臨む部位に該突起部近傍の肉厚を均一化するための凹部を形成したことを特徴とする請求項３記載の副室パイロット着火式ガスエンジン。
【請求項５】
シリンダヘッドに装着された副室口金の内部に副室及び該副室と主燃焼室とを連通する副室噴口を形成し、液体燃料噴射弁から該副室内のガス中に液体燃料を噴射して着火燃焼せしめ、これにより生成された燃焼火炎を前記副室噴口を通して前記主燃焼室内に噴出せしめて該主燃焼室内に充填された混合気を燃焼するように構成された副室パイロット着火式ガスエンジンにおいて、前記副室の前記液体燃料噴射弁からの燃料噴霧の到達部位近傍の側壁面を前記副室噴口側に向けて狭められるような傾斜面に形成するとともに、前記副室噴口をその中心延長線が前記傾斜面と交叉するように穿孔してなることを特徴とする副室パイロット着火式ガスエンジン。
【請求項６】
一端が前記副室における前記副室噴口の開口部位よりも鉛直方向下方位置に開口し他端が前記主燃焼室に開口される補助噴口を前記副室口金に穿孔したことを特徴とする請求項５記載の副室パイロット着火式ガスエンジン。
【請求項７】
前記副室口金は、前記副室の底部近傍に溜まった液体燃料を前記副室噴口に導く突起部を副室底部に形成してなることを特徴とする請求項５記載の副室パイロット着火式ガスエンジン。
【請求項８】
前記副室噴口は、前記主燃焼室側の開口角が前記副室側の開口角よりも大きくなるように屈曲して形成されてなることを特徴とする請求項５記載の副室パイロット着火式ガスエンジン。
【発明の詳細な説明】
【技術分野】
【０００１】
本発明は、副室パイロット着火式ガスエンジンに適用され、シリンダヘッドに装着された副室口金の内部に副室及び該副室と主燃焼室とを連通する副室噴口を形成し、液体燃料噴射弁から該副室内のガス中に液体燃料を噴射して着火燃焼せしめ、これにより生成された燃焼火炎を前記副室噴口を通して前記主燃焼室内に噴出せしめて、該主燃焼室内に充填された混合気を燃焼するように構成された副室パイロット着火式ガスエンジンであって、副室内における未燃燃料の滞留を回避した副室パイロット着火式ガスエンジンに関する。
【背景技術】
【０００２】
副室パイロット着火式ガスエンジンは、たとえば特許文献１（特開２００４−１９７６２５号公報）に開示されているように、液体燃料噴射弁から副室の内部に形成された空気流中に軽油等の液体燃料を噴射して該液体燃料を着火燃焼せしめ、この着火火炎を副室噴口から、給気弁の開弁によって主燃焼室内に導入された燃料ガスと空気との希薄混合気中に着火火炎を噴出せしめることにより該希薄混合気を燃焼せしめるように構成されている。
【０００３】
図８はかかる副室パイロット着火式ガスエンジンにおける副室口金及び該副室口金に装着された液体燃料噴射弁の概略を示し、図において、１０は図示しないシリンダヘッドに固定された副室口金、５は該副室口金１０の内部に形成された副室、１２は該副室口金１０の上部に装着され前記副室５内に軽油等の液体燃料を噴射する液体燃料噴射弁、１１は該副室５と主燃焼室１０４とを連通する複数個の副室噴口である。
かかる副室パイロット着火式ガスエンジンの運転時においては、前記液体燃料噴射弁１２から、副室５の内部に形成された空気流中に軽油等の液体燃料を噴射して（９は液体燃料噴霧）該液体燃料を着火燃焼せしめ、この着火火炎を副室噴口１１から該主燃焼室１０４内に噴出せしめている。
該主燃焼室１０４内には、図示しない給気弁の開弁により燃料ガスと空気との希薄混合気が導入されており、前記着火火炎の該主燃焼室１０４内への流出により該希薄混合気が燃焼せしめられる。
【０００４】
【特許文献１】特開２００４−１９７６２５号公報
【発明の開示】
【発明が解決しようとする課題】
【０００５】
しかるに、前記のような副室パイロット着火式ガスエンジンにおいては、液体燃料噴射弁１２から副室５内に液体燃料を噴射して着火燃焼せしめるが、特にエンジンの低負荷あるいは低回転運転時に、前記液体燃料の未燃分が副室５内に残留し易い。
かかる液体燃料の未燃分２０ａは、図８に示されるように、副室５の底部の副室噴口１１の間の凹部２０に溜まり、あるいは副室５の液体燃料噴射弁１２からの液体燃料噴霧９の到達部位近傍の側壁部１３に付着することが多い。
【０００６】
このため、従来の副室パイロット着火式ガスエンジンにあっては、前のサイクルで前記凹部２０に溜まりあるいは側壁部１３に付着した未燃分２０ａが所定の着火時期よりも早期に着火する過早着火を生起して燃焼の悪化をもたらす、という問題を有している。
しかしながら特許文献１（特開２００４−１９７６２５号公報）の技術には、前記未燃分２０ａの残留による過早着火の発生防止手段については、全く触れられていない。
【０００７】
本発明はかかる従来技術の課題に鑑み、簡単な構造で以って、副室の凹部に未燃分が溜まるのを回避するとともに副室の側壁部に未燃分が付着するのを回避して、該未燃分の残留による過早着火の発生を防止して、燃焼状態を改善した副室パイロット着火式ガスエンジンを提供することを目的とする。
【課題を解決するための手段】
【０００８】
本発明はかかる目的を達成するもので、シリンダヘッドに装着された副室口金の内部に副室及び該副室と主燃焼室とを連通する副室噴口を形成し、液体燃料噴射弁から該副室内のガス中に液体燃料を噴射して着火燃焼せしめ、これにより生成された燃焼火炎を前記副室噴口を通して前記主燃焼室内に噴出せしめて該主燃焼室内に充填された混合気を燃焼するように構成された副室パイロット着火式ガスエンジンにおいて、一端が前記副室における前記副室噴口の開口部位よりも鉛直方向下方位置に開口し他端が前記主燃焼室に開口される補助噴口を前記副室口金に穿孔し、前記副室の底部に溜まった液体燃料を該補助噴口を通して前記主燃焼室内に排出せしめるように構成したことを特徴とする。
かかる発明において、前記ガスエンジンが、シリンダ配置がＶ字状のＶ型ガスエンジンの場合には、前記補助噴口は前記副室から主燃焼室に向かう開口方向が鉛直方向になるように、前記副室の中心に対して一定角度傾斜して構成するのがよい。
【０００９】
かかる発明によれば、液体燃料噴射弁から副室内のガス中に噴射された液体燃料の未燃分は副室内の底部に溜まるが、直列シリンダガスエンジンにおいてもＶ型シリンダガスエンジンにおいても、該底部には副室噴口の開口部位よりも鉛直方向下方位置に補助噴口が開口しているので、前記未燃分は該補助噴口を通って該主燃焼室内に流出し、次のサイクルでは該未燃分の残留が無くなる。
従って、前記副室内の底部における未燃分の滞留が回避されることにより、未燃分の燃焼に伴う過早着火の発生を防止でき、エンジンの燃焼を安定化できる。
【００１０】
また本発明は、前記副室パイロット着火式ガスエンジンにおいて、前記副室口金は、副室の底部近傍に溜まった液体燃料を前記副室噴口に導く突起部を副室底部に形成してなることを特徴とする。
かかる発明によれば、副室の底部近傍に落ちた未燃分は、該突起部に案内されて副室噴口に導かれ、該副室噴口から該主燃焼室内に流出することとなって、未燃分が副室の底部近傍に溜まるのを回避できる。
【００１１】
かかる発明において好ましくは、前記副室口金の前記突起部の裏側の前記主燃焼室内に臨む部位に該突起部近傍の肉厚を均一化するための凹部を形成する。
このように構成すれば、突起部の裏側に凹部を形成して該突起部近傍の肉厚を均一化することにより、副室口金先端部の過熱を防止できる。
【００１２】
また本発明は、前記副室パイロット着火式ガスエンジンにおいて、前記副室の前記液体燃料噴射弁からの燃料噴霧の到達部位近傍の側壁面を前記副室噴口側に向けて狭められるような傾斜面に形成するとともに、前記副室噴口をその中心延長線が前記傾斜面と交叉するように穿孔してなることを特徴とする。
かかる発明によれば、副室噴口をその中心延長線が燃料噴霧の到達部位近傍の側壁面に交叉するように方向づけて穿孔したので、圧縮行程時に主燃焼室から副室噴口を通って副室に流入するガス噴流を前記側壁面に衝突させ、該側壁面に付着した未燃分を飛散させて次のサイクルで燃焼させることができ、結果として該側壁面における未燃分の付着を阻止できる。
【００１３】
かかる発明において好ましくは、前記副室噴口は、前記主燃焼室側の開口角が前記副室側の開口角よりも大きくなるように屈曲して形成されてなる。
前記副室噴口をその中心延長線が前記傾斜面と交叉するように穿孔すると、主燃焼室側の開口角が副室噴口からの着火燃焼火炎の適正流出角よりも小さくなるが、副室噴口を主燃焼室側の開口角が副室側の開口角よりも大きくなるように屈曲して形成することにより、副室噴口の主燃焼室側の開口角を主燃焼室内での燃焼性能が最良の適正開口角に自在に選択できる。
【００１４】
また、本発明は前記２つの発明を次のように組み合わせて構成することにより、前記２つの発明の相乗効果を得ることができる。
（１）副室の液体燃料噴射弁からの燃料噴霧の到達部位近傍の側壁面を副室噴口側に向けて狭められるような傾斜面に形成するとともに副室噴口をその中心延長線が前記傾斜面と交叉するように穿孔し、一端が前記副室における前記副室噴口の開口部位よりも鉛直方向下方位置に開口し他端が前記主燃焼室に開口される補助噴口を前記副室口金に穿孔する。
（２）副室の液体燃料噴射弁からの燃料噴霧の到達部位近傍の側壁面を副室噴口側に向けて狭められるような傾斜面に形成するとともに副室噴口をその中心延長線が傾斜面と交叉するように穿孔し、前記副室口金は副室の底部近傍に溜まった液体燃料を副室噴口に導く突起部を副室底部に形成する。
【発明の効果】
【００１５】
本発明によれば、直列シリンダガスエンジンにおいてもＶ型シリンダガスエンジンにおいても、副室内の底部には副室噴口の開口部位よりも鉛直方向下方位置に補助噴口が開口しているので、液体燃料噴射弁から副室内のガス中に噴射された後に副室内の底部に溜まった液体燃料の未燃分は該補助噴口を通って該主燃焼室内に排出され、次のサイクルでは該未燃分の残留が無くなる。
従って、副室内の底部における未燃分の滞留が回避されることにより、該未燃分の燃焼に伴う過早着火の発生を防止でき、エンジンの燃焼を安定化できる。
また本発明によれば、副室の底部近傍に溜まった液体燃料の未燃分を前記副室噴口に導く突起部を副室底部に形成しているので、副室の底部近傍に落ちた未燃分が、該突起部に案内されて副室噴口に導かれ、該副室噴口から該主燃焼室内に排出されることとなって、副室の底部近傍に未燃分が溜まるのを回避できる。
【発明を実施するための最良の形態】
【００１６】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００１７】
図７は、本発明が適用される副室パイロット着火式ガスエンジンの燃焼室周りの概略断面図である。
図７において、１０１はピストン、１０２はシリンダライナ、１０３はシリンダヘッド、１０４は前記ピストン１０１の上部に形成された主燃焼室、１０６は給気ポート、１０８は該給気ポート１０６を開閉する給気弁、１０７は排気ポート、１０９は該排気ポート１０７を開閉する排気弁である。
１０は前記シリンダヘッド１０３に固定された副室口金、５は該副室口金１０内に形成された副室、１１は該副室５と前記主燃焼室１０４とを連通する副室噴口、１２は前記副室５内に軽油等の液体燃料を噴射する液体燃料噴射弁、１１３は該液体燃料噴射弁１２に液体燃料を供給するための液体燃料管である。１１４は前記給気ポート１０６内に燃料ガスを噴射して混合気を形成するガス噴射弁、１１５は該ガス噴射弁１１４に燃料ガスを供給するための燃料ガス管である。
【実施例１】
【００１８】
本発明は、かかる構成を備えた副室パイロット着火式ガスエンジンの副室口金及び副室の改良に係るものである。
図１は本発明の第１実施例に係る副室パイロット着火式ガスエンジンの副室口金及び液体燃料噴射弁周りの要部断面図である。
図において、１０は前記シリンダヘッド１０３に固定された副室口金、５は該副室口金１０内に形成された副室、１１は該副室５と前記主燃焼室１０４とを連通する副室噴口である。１２は前記副室口金１０の上部に固定された液体燃料噴射弁で、前記副室５内の空気流中に軽油等の液体燃料を噴射する。１０ａは副室５の中心線で、この実施例の場合は鉛直方向に延びている。また９は液体燃料噴霧である。
かかる第１実施例においては、前記副室口金１０の下部に、上端開口部１ａが前記副室５における副室噴口１１の開口部１１ａよりも鉛直方向下方位置に開口し他端が前記主燃焼室１０４に開口される補助噴口１を設けている。
【００１９】
かかる副室口金及び液体燃料噴射弁周りの構成を備えた副室パイロット着火式ガスエンジンの運転時においては、ピストン１０１の圧縮行程時に主燃焼室１０４から副室噴口１１を通って副室５内に流入し該副室５内にて形成された混合気もしくは作動流体中に前記液体燃料噴射弁１２から軽油等の液体燃料を噴射して（９は液体燃料噴霧）、該液体燃料を着火燃焼せしめる。
この着火火炎は前記副室噴口１１を通って前記主燃焼室１０４内に噴出せしめられる。該主燃焼室１０４内には、前記給気弁１０８の開弁により前記ガス噴射弁１１４によって生成された燃料ガスと空気との希薄混合気が導入されており、前記着火火炎の該主燃焼室１０４内への流出により該希薄混合気が燃焼せしめられる。
【００２０】
ここで、かかるガスエンジンにおいては、エンジンの起動時、低負荷あるいは低回転運転時に、前記液体燃料噴射弁１２から副室５内に噴射された液体燃料の燃焼が不安定となって、該液体燃料の未燃分が副室５の底部２０、具体的には該底部２０における複数の副室噴口１１の開口部１１ａの内側に残留し易い。
そこでかかる実施例においては、上端開口部１ａが前記開口部１１ａよりも鉛直方向下方位置に開口し他端が前記主燃焼室１０４に開口される補助噴口１を設けているので、前記底部２０に溜まった未燃分は該補助噴口１を通って該主燃焼室内１０４に排出され、次のサイクルでは該未燃分の残留が無くなる。
従って、前記底部２０における未燃分の滞留が回避されることにより、該未燃分の燃焼に伴う過早着火の発生を防止でき、エンジンの燃焼が安定化される。
【実施例２】
【００２１】
図２は本発明の第２実施例を示す図１対応図である。
かかる第２実施例は、シリンダ配置がＶ字状のＶ型ガスエンジンに適用されるもので、前記補助噴口１を、シリンダ中心線と平行または該シリンダ中心線に一致する副室５の中心線１０ａに対して傾斜角αだけ傾斜して穿孔し、エンジン装着時における該補助噴口１の開口方向つまり副室５から主燃焼室１０４に向かう開口方向が鉛直方向になるように構成している。
このように構成することにより、副室口金１０をエンジンに装着したときの前記補助噴口１の開口方向が鉛直方向となって、前記底部２０に溜まった未燃分を、該補助噴口１を通して容易に主燃焼室１０４に排出できる。
その他の構成及び作用効果は前記第１実施例と同様であり、該第１実施例と同一の部材は同一の符号で示す。
【実施例３】
【００２２】
図３は本発明の第３実施例を示す図１対応図である。
かかる第３実施例においては、前記副室口金１０の下部に、前記副室５の底部２０内に突出されて副室噴口１１の内側縁に繋がる突起部２を形成している。
かかる第３実施例によれば、副室５の底部２０に溜まった液体燃料の未燃分は、該突起部２に案内されて副室噴口１１に導かれ、該副室噴口１１から該主燃焼室１０４内に排出されることとなって、該未燃分が副室５の底部２０近傍に溜まるのを回避できる。  
その他の構成は前記第１実施例と同様であり、該第１実施例と同一の部材は同一の符号で示す。
【実施例４】
【００２３】
図４は本発明の第４実施例を示す図１対応図である。
かかる第４実施例においては、前記第３実施例（図３）における突起部２の裏側の前記主燃焼室１０４内に臨む部位に凹部３を形成している。
かかる第４実施例によれば、突起部２を設けることにより厚肉となる部分に凹部３を形成することにより該突起部２近傍の肉厚を均一化することができて、該突起部２を設けることによる冷却効果の低下を防止でき、該副室口金１０先端部の過熱を回避できる。
その他の構成は前記第３実施例と同様であり、該第３実施例と同一の部材は同一の符号で示す。
【実施例５】
【００２４】
図５は本発明の第５実施例を示す図１対応図である。
かかる第５実施例においては、前記副室５の前記液体燃料噴射弁１２からの燃料噴霧９の到達部位近傍の側壁面を前記副室噴口１１側に向けて狭められるような傾斜角θ２傾斜した傾斜面１３に形成した副室口金１０に適用するもので、複数の副室噴口１１をその中心延長線１１ｃ（傾斜角θ１）が前記傾斜面１３と交叉し（１３ｂは交叉部）、前記副室噴口１１の中心延長線１１ｃの傾斜角θ１が前記傾斜面１３の傾斜角θ２よりも大きくなるように（θ１＞θ２）構成している。
【００２５】
かかる第５実施例によれば、副室噴口１１をその中心延長線１１ｃが燃料噴霧９の到達部位近傍の側壁面１３に交叉部１３ｂにて交叉するように方向づけて穿孔したので、圧縮行程時に主燃焼室１０４から副室噴口１１を通って副室５に流入するガス噴流を前記傾斜面１３に衝突させ、該傾斜面１３に付着した未燃分を飛散させて次のサイクルで燃焼させることができ、結果として該傾斜面１３における未燃分の付着を阻止できる。
その他の構成は前記第１実施例と同様であり、該第１実施例と同一の部材は同一の符号で示す。
【実施例６】
【００２６】
図６は本発明の第６実施例を示す図１対応図である。
かかる第６実施例においては、前記第５実施例における副室噴口１１の形状を屈曲形状に変更している。
即ち、かかる第６実施例においては、前記副室噴口１１は、前記主燃焼室１０４側の開口角θ３が前記副室５側の開口角θ１よりも大きくなるように（θ３＞θ１）、主燃焼室１０４側において末広がりに屈曲して形成されている。
【００２７】
前記第５実施例（図５）において、前記副室噴口１１をその中心延長線１１ｃが前記傾斜面１３と交叉するように穿孔すると、主燃焼室１０４側の開口角が副室噴口１１からの着火燃焼火炎の適正流出角よりも小さくなるが、かかる第６実施例においては、該副室噴口１１を主燃焼室１０４側の開口角θ３が副室側の開口角θ１よりも大きくなるように屈曲して形成することにより、該副室噴口１１の主燃焼室１０４側の開口角θ３を主燃焼室１０４内での燃焼性能が最良の適正開口角に自在に選択できることとなる。
その他の構成及び作用効果は前記第５実施例と同様であり、該第５実施例と同一の部材は同一の符号で示す。
【００２８】
また前記各実施例をつぎのように組み合わせることもできる。
第１の組み合わせは、前記第５〜第６実施例と第１〜第２実施例とを組み合わせて、
副室５の液体燃料噴射弁１２からの燃料噴霧９の到達部位近傍の側壁面を副室噴口１１側に向けて狭められるような傾斜面１３に形成するとともに、副室噴口１１をその中心延長線１１ｃが前記傾斜面１３と交叉するように穿孔し、一端が前記副室５における前記副室噴口１１の開口部位１１ａよりも鉛直方向下方位置に開口し他端が前記主燃焼室１０４に開口される補助噴口１を前記副室口金１０に穿孔する。
前記に加えて、好ましくは第６実施例のように、前記副室噴口１１を、前記主燃焼室１０４側の開口角θ３が前記副室５側の開口角θ１よりも大きくなるように（θ３＞θ１）、主燃焼室１０４側において末広がりに屈曲して形成する。
以上の組み合わせによって、前記第５〜第６実施例と第１〜第２実施例との相乗効果が得られる。
【００２９】
第２の組み合わせは、前記第５〜第６実施例と第３〜第４実施例とを組み合わせて、
副室５の液体燃料噴射弁１２からの燃料噴霧９の到達部位近傍の側壁面を副室噴口１１側に向けて狭められるような傾斜面１３に形成するとともに、副室噴口１１をその中心延長線１１ｃが前記傾斜面１３と交叉するように穿孔し、前記副室口金１０は副室５の底部２０近傍に溜まった液体燃料を副室噴口１１に導く突起部２を副室底部２０に形成する。
前記に加えて、好ましくは第６実施例のように、前記副室噴口１１を、前記主燃焼室１０４側の開口角θ３が前記副室５側の開口角θ１よりも大きくなるように（θ３＞θ１）、主燃焼室１０４側において末広がりに屈曲して形成する。
さらに好ましくは第４実施例のように、前記突起部２の裏側の前記主燃焼室１０４内に臨む部位に凹部３を形成する。
以上の組み合わせによって、前記第５〜第６実施例と第３〜第４実施例との相乗効果が得られる。
【産業上の利用可能性】
【００３０】
本発明によれば、簡単な構造で以って、副室の凹部に未燃分が溜まるのを回避するとともに副室の側壁部に未燃分が付着するのを回避して、該未燃分の残留による過早着火の発生が防止され、燃焼状態を改善を実現した副室パイロット着火式ガスエンジンを提供できる。
【図面の簡単な説明】
【００３１】
【図１】本発明の第１実施例に係る副室パイロット着火式ガスエンジンの副室口金及び液体燃料噴射弁周りの要部断面図である。
【図２】本発明の第２実施例を示す図１対応図である。
【図３】本発明の第３実施例を示す図１対応図である。
【図４】本発明の第４実施例を示す図１対応図である。
【図５】本発明の第５実施例を示す図１対応図である。
【図６】本発明の第５実施例を示す図１対応図である。
【図７】本発明が適用される副室パイロット着火式ガスエンジンの燃焼室周りの概略断面図である。
【図８】従来技術を示す図１対応図である。
【符号の説明】
【００３２】
１    補助噴口
２    突起部
３    凹部
５    副室
１０    副室口金
１０ａ    副室中心線
１１    副室噴口
１１ｃ    副室噴口中心延長線
１２    液体燃料噴射弁
１３    傾斜面
２０    底部
１０１    ピストン
１０３    シリンダヘッド
１０４    主燃焼室
１０６    給気ポート
１０８    給気弁
【図１】
2006132415.tif 000003
【図２】
2006132415.tif 000004
【図３】
2006132415.tif 000005
【図４】
2006132415.tif 000006
【図５】
2006132415.tif 000007
【図６】
2006132415.tif 000008
【図７】
2006132415.tif 000009
【図８】
2006132415.tif 000010